(57)【要約】【課題】握力や腕力に乏しい使用者であっても所定長の操作部材を備えた操作用具の使用を容易かつ低労力で行えるとともに疲労を軽減することができる操作補助機構を提供する。【解決手段】所定長の操作部材を備え、操作部材の一端部側を使用者が片手で把持可能に形成され、操作部材の他端部側を所定の対象に向けて使用する操作用具に設けられた操作補助機構であって、操作補助機構は、操作部材を把持した状態における使用者の前腕から肘にかけての少なくとも一部を支持するとともに、把持位置よりも一端部側に位置するよう設けられた支持部を有し、支持部が、操作部材の周面に沿って前後方向に移動可能であり、かつ周方向に回転移動可能に構成する。【選択図】図１
2020135293.tif 000002
【特許請求の範囲】
【請求項１】
所定長の操作部材を備え、当該操作部材の一端部側を使用者が片手で把持可能に形成され、当該操作部材の他端部側を所定の対象に向けて使用する操作用具に設けられた操作補助機構であって、
前記操作補助機構は、前記操作部材を把持した状態における使用者の前腕から肘にかけての少なくとも一部を支持するとともに、把持位置よりも一端部側に位置するよう設けられた支持部を有し、
前記支持部は、前記操作部材の周面に沿って前後方向に移動可能であり、かつ周方向に回転移動可能であることを特徴とする操作補助機構。
【請求項２】
所定長の操作部材を備え、当該操作部材の一端部側に操作部を有し、当該操作部の操作に際して当該操作部材の他端部側を所定の対象に向けて使用する操作用具に設けられた操作補助機構であって、
前記操作部は、使用者が片手で把持するグリップ部を少なくとも有し、
前記操作補助機構は、前記グリップ部を把持した状態における使用者の前腕から肘にかけての少なくとも一部を支持するとともに、前記グリップ部よりも一端部側に位置するように設けられた支持部を有し、
前記支持部は、前記操作部材の周面に沿って、前後方向に移動可能であるとともに、周方向に回転移動可能であることを特徴とする操作補助機構。
【請求項３】
前記支持部は、前記操作部材の周面から突出する方向に伸びる回転軸に取り付けられているとともに、当該回転軸を軸心として回転可能であることを特徴とする請求項１又は２記載の遊技機。
【請求項４】
前記操作補助機構は、固定手段を更に有し、
前記支持部は、前記固定手段によって、任意の位置で固定可能であることを特徴とする請求項１、２又は３記載の操作補助機構。
【発明の詳細な説明】
【技術分野】
【０００１】
本発明は、掃除機や高圧洗浄機などの所定長の操作部材を備えた操作用具に設けられる操作補助機構に関する。
【背景技術】
【０００２】
従来、所定長の操作部材（パイプ等）を備えた操作用具として電気掃除機が知られている。このような電気掃除機は一般に、吸引用のモータ等を備えた本体部と、モータ等を制御可能なスイッチ等を備えたグリップ部と、本体部とグリップ部とを接続するホース部と、先端側に吸込み口が設けられるとともに後端側でグリップ部と接続される所定長のパイプ体から構成されている（例えば、特許文献１参照）。
【先行技術文献】
【特許文献】
【０００３】
【特許文献１】特開２０００−１５７４６７号公報
【発明の概要】
【発明が解決しようとする課題】
【０００４】
このような電気掃除機は、使用者がグリップ部を片手で把持し、パイプ体を介して吸込み口を移動操作することで掃除の用に供するものである。そのため、片手で把持しやすく操作しやすい形状とするような各種の工夫がなされている。
しかし、このような工夫は握力や腕力のある使用者においては有効であるものの、握力や腕力に乏しい使用者においては片手での操作は依然として難しく、結局両手で把持して掃除をせざるを得ないという状況が生じていた。
また、ある程度握力や腕力に自信のある使用者においても、例えば、高所にある部分を掃除したいとき等、吸込み口を長時間持ち上げて使用するような場合には結局、両手で把持する必要があり、更なる工夫が望まれていた。
【０００５】
本発明は、上述した事情に鑑み、握力や腕力に乏しい使用者であっても所定長の操作部材を有する操作用具の操作を容易に、低労力で行うことができる操作補助機構を提供することを目的とする
【課題を解決するための手段】
【０００６】
上記目的を達成するために、本発明は、所定長の操作部材を備え、当該操作部材の一端部側を使用者が片手で把持可能に形成され、当該操作部材の他端部側を所定の対象に向けて使用する操作用具に設けられた操作補助機構であって、前記操作補助機構は、前記操作部材を把持した状態における使用者の前腕から肘にかけての少なくとも一部を支持するとともに、把持位置よりも一端部側に位置するよう設けられた支持部を有し、前記支持部は、前記操作部材の周面に沿って前後方向に移動可能であり、かつ周方向に回転移動可能であることを特徴とする。
また、本発明は、所定長の操作部材を備え、当該操作部材の一端部側に操作部を有し、当該操作部の操作に際して当該操作部材の他端部側を所定の対象に向けて使用する操作用具に設けられた操作補助機構であって、前記操作部は、使用者が片手で把持するグリップ部を少なくとも有し、前記操作補助機構は、前記グリップ部を把持した状態における使用者の前腕から肘にかけての少なくとも一部を支持するとともに、前記グリップ部よりも一端部側に位置するように設けられた支持部を有し、前記支持部は、前記操作部材の周面に沿って、前後方向に移動可能であるとともに、周方向に回転移動可能であることを特徴とする。
【０００７】
また、前記支持部は、前記操作部材の周面から突出する方向に伸びる回転軸に取り付けられているとともに、当該回転軸を軸心として回転可能であるように構成してもよい。
また、前記操作補助機構は、固定手段を更に有し、前記操作補助機構は、固定手段を更に有し、前記支持部は、前記固定手段によって、任意の位置で固定可能であるように構成してもよい。
【発明の効果】
【０００８】
本発明によれば、握力や腕力に乏しい使用者であっても所定長の操作部材を有する操作用具の操作を容易に、低労力で行うことができる。また、いわゆる梃子の原理により手首の負担を軽減することができ、ひいては、このような操作用具の使用に伴う疲労を軽減することができる。また、使用者の身体的特徴（利き手、腕の長さ等）に併せて支持部を自由に調整することができる。さらに、操作部材と手や腕とを固定しやすくなるため、たとえば、操作部材が長尺であって、かつ精度を求められる作業を行う場合であっても、安定した作業が可能となり、当該作業の効率化を図ることができる。
【図面の簡単な説明】
【０００９】
【図１】本実施形態における電気掃除機の斜視図である。
【図２】本実施形態における支持部を示す概略図である。
【図３】本実施形態における支持部を示す側面図である。
【図４】本実施形態における支持部を示す上面図である。
【図５】図４のＢ−Ｂ断面図である。
【図６】図４のＡ−Ａ断面図である。
【図７】本実施形態における電気掃除機の使用例を示す概略図である。
【図８】他の実施形態を示す概略図である。
【図９】他の実施形態を示す概略図である。
【図１０】本実施形態における取付部の別形態を示す図である。
【図１１】本実施形態における固定手段の別形態を示す図である。
【図１２】本実施形態における腕支持体の別形態を示す概略図である。
【図１３】本実施形態における支持部の別形態を示す概略図である。
【図１４】本実施形態における電気掃除機の別形態を示す概略図である。
【発明を実施するための形態】
【００１０】
以下に添付図面を参照しながら、本発明の好適な実施形態について詳細に説明する。かかる実施形態における寸法、材料、その他具体的な数値等は発明の理解を容易とするための例示に過ぎず、特に断る場合を除き、本発明を限定するものではない。
【００１１】
図１に本発明を電気掃除機１に適用した実施例を示す。
【００１２】
本実施例における電気掃除機１は、図１に示すように、本体部１００、ホース部２００、操作把持部３００、パイプ部４００、吸込ノズル部５００、支持部６００が含まれている。
【００１３】
本体部１００は、吸引力を発生させるモータ（図示せず）が内蔵されるとともに、モータの作動によって空気が吸い込まれる吸入口（図示せず）と、吸入口から吸い込まれた空気を通過させる集塵フィルタ（図示せず）と、集塵フィルタを通過した空気が排出される排出口（図示せず）とを有する。
【００１４】
吸入口は、ホース部２００の一端側を挿入可能な開口構造となっており、ホース部２００の一端側を吸入口に挿入することで、着脱自在に接続可能な構造となっている。また、ホース部２００の一端側に設けられた第１係止部（図示せず）によって係止される第１被係止部（図示せず）を有している。
【００１５】
ホース部２００は、可撓性を有する管状のいわゆるフレキシブルホースとなっており、一端側が吸入口に着脱自在に接続され、他端側が操作把持部３００と着脱自在に接続される。また、ホース部２００の一端側には第１被係止部を係止する第１係止部（図示せず）が設けられ、他端側には操作把持部３００に設けられた第２係止部（図示せず）によって係止される第２被係止部（図示せず）が設けられている。第１係止部は、係止スイッチ２３０を操作することにより着脱自在に構成される。
【００１６】
操作把持部３００は、グリップベース部３１０と、このグリップベース部３１０から延出形成され、使用者が把持する略棒状のグリップ部３２０とを有している。
【００１７】
グリップベース部３１０は内部に通路（図示せず）を有する円筒状に形成され、その一方にホース部２００の他端側が接続される接続部３１２を有し、他方に接続部３１２と通路を介して連通しパイプ部４００の一端側と接続される継手部３１３を有している。また、グリップベース部３１０の外周面には取付部３１４を有している。
【００１８】
接続部３１２には第２被係止部を係止する第２係止部（図示せず）が設けられ、継手部３１３にはパイプ部４００の一端側に設けられた第３係止部（図示せず）に係止される第３被係止部（図示せず）が設けられる。第２係止部および第３係止部はそれぞれ、第１係止部と同様、係止スイッチ２３１，２３２を操作することにより係脱自在に構成される。
【００１９】
取付部３１４は、グリップベース部３１０をグリップ部３２０の先端よりも長くなるよう接続部３１２側に向かって延出形成させたものとなっており、その外周面に支持部６００を取り付け可能となっている。
【００２０】
グリップ部３２０は、グリップベース部３１０の上面部分から突出するとともに、その先端がグリップベース部３１０の長手方向に沿うように接続部３１２側に向かって延出した略棒状形状となるよう構成される。また、使用者が握りやすいように、丸みを帯びた断面略四角形状となっている。また、グリップ部３２０の上面には、操作部３２１が設けられている。操作部３２１は、モータを制御可能なスイッチ３２２を有しており、使用者がこれらのスイッチ３２２を操作することにより、モータのオン・オフ操作、吸引力の強弱の調整等が行えるようになっている。
【００２１】
パイプ部４００は、内部に流路（図示せず）を形成する長尺の筒状体で、その一端側は継手部３１３と接続され、他端側は吸込ノズル部５００と接続されている。また、パイプ部４００の一端側には第３被係止部を係止する第３係止部（図示せず）が設けられ、他端側には吸込ノズル部５００に設けられた第４係止部（図示せず）に係止される第４被係止部（図示せず）が設けられる。
【００２２】
吸込ノズル部５００は、上面視略Ｔ字形状に構成され、パイプ部４００の他端側と接続するノズル取付部５１０と、ノズル取付部５１０を介してパイプ部４００と連通する吸込口５２０とを有している。ノズル取付部５１０には第４被係止部を係止する第４係止部（図示せず）が設けられている。吸込口５２０は略長方形状に開口しており、内部に図示せぬ回転ブラシを有している。第４係止部は、第１〜３係止部と同様、係止スイッチ２３３を操作することにより係脱自在に構成される。
なお、本例において、係止部と被係止部の関係は適宜入れ替えてもよいことは言うまでもない。
【００２３】
支持部６００は、図２〜図６に示すように、腕支持体６１０と腕支持体６１０を軸支するアタッチメント部６２０とを有する。
【００２４】
腕支持体６１０は、図２〜図５に示すように、グリップ部３２０が設けられた操作把持部３００の周面上に設けられており、断面略環状に形成され、内部に腕を挿通可能な挿通口６１１が貫通された円環部材となっている。腕支持体６１０の先端から後端までは、後端を肘に位置させたときに先端が前腕の中央よりも肘側寄りの所定位置まで至るような長さとなっている。挿通口６１１の縁部６１２は、図６に示すように断面Ｒ状に面取りが施されており使用者が腕を通す際や使用中に不快な思いをすることがないような形状に構成されている。なお、面取りに加えて挿通口６１１の内周にゴムや布等のクッション性の高い部材を設ければ更に快適性の向上が図れるため好適である。
【００２５】
アタッチメント部６２０は、ベース体６３０と、ベース体６３０及び腕支持体６１０を回転可能に連結する軸体６４０と、ベース体６３０を取付部３１４に固定する固定体６５０とを有している。
【００２６】
ベース体６３０は、内部に貫通孔６３１を有する略円筒形状に構成され、図２〜図５に示すように、貫通孔６３１内に取付部３１４を挿通した状態で取り付けられる。この貫通孔６３１の内径は取付部３１４の外径より僅かに大きい形状となっており、ベース体６３０は取付部３１４の長手方向（図２中の矢印Ａ方向）に沿って所定範囲内で移動（スライド）自在となっている。また、同様に取付部３１４の外周に沿って所定範囲内で回転移動自在（図２中の矢印Ｂ方向）となっている。また、ベース体６３０には、図４に示すように、固定体６５０用のネジ孔６３２が所定数（例えば、３つ）穿設されている。
【００２７】
軸体６４０は、ベース体６３０の外周面から突出形成され、ベース体６３０に対して腕支持体６１０を回転可能（図２中の矢印Ｃ方向）となるように連結している。
【００２８】
固定体６５０は、円盤状の頭部６５１と、頭部６５１の中心から垂直方向に延びる円柱状のネジ部６５２とを有している。ネジ部６５２の外周には正ネジと同様のネジ溝が切られており、ネジ孔６３２と螺合するように形成されている。そのため、頭部６５１を時計回りに回転させるとネジ部６５２はベース体６３０の貫通孔６３１に向かって進出する方向に移動していき、やがてネジ部６５２の先端と取付部３１４の外周面が当接する（図４参照）。これにより、ベース体６３０の取付部３１４に対する相対移動が制限され、ベース体６３０が固定されることになる。
【００２９】
なお、ベース体６３０を、操作把持部３００に設けた取付部３１４ではなく、ホース部２００に固定するようにしても良い。この場合、ホース部２００は固定体６５０の固定に耐えられる程度の強度とすることが望ましい。また、取付部３１４は操作把持部３００に一体で形成することなく、別の適宜の部位に設けるものとしてもよい。
【００３０】
本実施例のように構成された電気掃除機１の使用例を、図７を用いて説明する。なお、同図においては右利きの使用者を対象として説明している。
【００３１】
まず、使用者は、固定体６５０を緩めた状態で、支持部６００が所望の位置となるよう前後方向にスライドさせたり、周方向に回転移動させたりして調整する。併せて、軸体６４０を軸心として腕支持体６１０を回転させて、挿通口６１１が所望の向きとなるように調整する。そして、所望の位置が決まったら固定体６５０を締め上げ、アタッチメント部６２０を取付部３１４に固定する。そして、挿通口６１１に右腕を挿通させる。これにより、前腕から肘にかけての少なくとも一部が腕支持体６１０により支持されることとなる。この状態で掃除を行えば、吸込ノズル部５００の操作をグリップ部３２０と支持部６００によって行うことが可能となるため、グリップ部３２０のみで操作する場合に比して、楽に操作することが可能となり労力が軽減されることになる。また、手及び腕を用いて操作することが可能となり、握力や腕力に乏しい使用者であっても片手で快適に操作を行うことができる。また、腕支持体６１０の位置および向きを各人の所望の位置に調整することが可能なため、使用者の体格や腕の長さ、形状等に応じた快適な配置とさせることが可能となる。また、左利きの使用者が使用する場合においても適切な位置に調整することが可能となる。また、図７（Ｂ）に示すように、吸込ノズル部５００を高い位置に持ち上げて作業を行う場合においても、グリップ部３２０と支持部６００とが略同一直線上に設けられているため、いわゆる梃子の原理の働きにより、手及び腕の二点で吸込ノズル部５００を簡単に持ち上げることが可能となるとともに、両手で支える必要もなくなる。
【００３２】
なお、上述の使用例では、挿通口６１１に右腕を挿通する前に、支持部６００の位置及び向きを調整していたが、これに限られるものではなく、挿通口６１１に右腕を挿通した状態で上記調整を行ってもよい。
具体的には、固定体６５０を緩めた状態で、図７（Ａ）のように、挿通口６１１に右腕を挿通する。次に、挿通口６１１に右腕を挿通した状態でグリップ部３２０を把持し、支持部６００が所望の位置となるよう前後方向、周方向に動かし調整する。併せて、挿通口６１１が右腕に引っかかることのない所望の向きとなるように調整する。そして、所望の位置が決まったら左手で固定体６５０を締め上げ、アタッチメント部６２０を固定するようにしてもよい。
【００３３】
以上、本発明を電気掃除機１に適用した実施形態について説明したが、本発明は所定長の操作部材を備える操作用具であれば適用可能であることはいうまでもない。
【００３４】
例えば、図８（Ａ）に、高所の枝葉等の伐採に用いるいわゆる高枝切り鋏７００に本発明を適用した例を示す。なお、以下の説明において先に説明した実施形態と同様の構成については同符号を付して説明する。
【００３５】
図８（Ａ）に示す高枝切り鋏７００は、伸縮自在に設けられた長尺状の柄部７１０（本発明の操作部材に相当）と柄部７１０の先端側に設けられた鋏部７２０と、柄部７１０の後端側に設けられた操作部７５０と操作部７５０よりも更に後端側に設けられた取付部３１４を有している。操作部７５０には鋏部７２０を開閉させるトリガ７３０とグリップ７４０とを有しており、取付部３１４には支持部６００が設けられている。
【００３６】
一般に高枝切り鋏７００は、鋏部７２０を常に上に向けて使用するものである為、握力や腕力に乏しい使用者においてはその操作や長時間の使用が困難となるものであるが、本発明を適用することによって、鋏部７２０の操作を容易にするとともに、長時間の使用による疲労も軽減することが可能となる。
【００３７】
また、図８（Ｂ）に、高圧力で水を噴射することによって強固な汚れを除去することが可能ないわゆる高圧洗浄機８００に本発明を適用した例を示す。
【００３８】
図８（Ｂ）に示す高圧洗浄機８００は、先端に噴射ノズル８１０が設けられた長尺状のパイプ部８２０（本発明の操作部材に相当）と、パイプ部８２０の後端に設けられた操作部８５０と、操作部８５０に設けられた取付部３１４を有している。操作部８５０には水の発射操作を行うトリガ８３０とグリップ８４０とを有し、取付部３１４はグリップ８４０からその後方に向かって延出するように設けられるとともに支持部６００が取り付けられている。
【００３９】
一般に、高圧洗浄機８００は短時間で広範囲の領域の洗浄を行うことが難しく、ある程度の時間、同じ領域に向かって噴射ノズル８１０を向けた態勢を維持する必要がある。この場合、やはり長時間の使用は困難となるものであるところ、本発明を適用することによって、所定の態勢を維持することによる疲労の軽減を図ることが可能となる。
【００４０】
また、図９に、毛髪を乾燥させるために用いられるドライヤー９００に本発明を適用した例を示す。
【００４１】
図９に示すドライヤー９００は、先端に送風口９１０が設けられた送風部９２０と、送風部９２０の後端側に設けられた所定長さの操作部９５０と、操作部９５０の送風部９２０と反対側の端部に設けられた取付部３１４とを有している。操作部９５０には電源スイッチ９３０とグリップ９４０とを有し、取付部３１４はグリップ９４０からその後方に向かって延出するように設けられるとともに支持部６００が取り付けられている。
【００４２】
一般に、ドライヤー９００は、腕を上げた状態で頭部に向けて送風口９１０を向けた態勢を維持する必要があるが、本発明を適用することによって、この態勢を維持することによる疲労の軽減を図ることが可能となる。
【００４３】
また、上記実施例の構造は、電気掃除機１、高枝切り鋏７００、高圧洗浄機８００、ドライヤー９００のように操作部を備えた操作用具のみならず、操作部を備えない操作用具に適用することもできる。また、グリップを把持するのではなく、操作用具の所定箇所を直接把持して使用する操作用具に適用することもできる。
たとえば、マジックハンド、ドリル、インパクトドライバー、ブロワ、芝刈り用バリカン、チェーンソー、ジグソー、布団クリーナー、はたき、雪かき、自撮り棒、ジンバル、箒、モップ、釣り竿、鍋、フライパン、のこぎり、ホース、管鎗、傘、ゴルフクラブ、ハンマー、金槌、つるはし、鉈、鍬、鋤、シャベル、スコップ、サクションリフター、スクイージー、エアーガン、スプレーガン、コーキングガン、タッカー、エアーダスター、レンチ、スパナ、ガンマイク等の操作用具に適用してもよい。
【００４４】
また、上記実施例の構造は、支持部６００を取り付けられる箇所が無い（取付部３１４が無い）操作用具に適用することもできる。具体的には、操作用具に所定長の棒状部材を取り付けた上で、この棒状部材に支持部６００を取り付ければよい。すなわち、この棒状部材を取付部３１４として使用すればよい。
【００４５】
また、上記実施例においては、アタッチメント部６２０を取付部３１４に対して前後方向及び周方向に移動自在に形成し、固定体６５０によって所望の位置に固定可能とすることで支持部６００の位置を自由に調節できるように構成した。しかし、これに限らず、ある程度、支持部６００の位置を制限するように構成してもよい。例えば、図１０に示すように、取付部３１４にスライド溝３１８を複数形成し、このスライド溝３１８内を支持部６００が移動可能なように構成するようにしてもよい。このように構成すれば開発段階での耐久試験等の対策が取りやすくなり、製品開発コストを削減することができる。
【００４６】
また、上記実施例においては、支持部６００の固定にネジ式の固定体６５０を用いる例で説明したが、固定体６５０はこれに限らない。例えば、図１１（Ａ）に示すようにいわゆるクランプ金具６６０を用いて固定してもよく、また、図１１（Ｂ）に示すようにマジックベルト等のベルト体６７０で固定するものであってもよい。また、その他種々の公知の固定構造を採用してもよい。
【００４７】
また、上記実施例においては、腕支持体６１０の例として、切れ目のない断面円環（Ｏ字）状の円環部材を用いた例で説明したが腕支持体６１０はこの形状に限らない。例えば、図１２（Ａ）に示すように断面略Ｕ字状に形成されたＵ字状部材６８０を用いてもよいし、図１２（Ｂ）に示すように断面略Ｃ字状に形成されたＣ字状部材６９０を用いてもよい。
【００４８】
また、上記実施例においては、支持部６００は１つのみ設けられる例で説明したが、支持部６００の設置数はこれに限らない。例えば、図１３（Ａ）に示すように、取付部３１４に２個の支持部６００を設け、それぞれが別個に、前後方向、周方向に移動可能であり、かつ軸体６４０を軸心として回転可能となるように構成してもよい。また、支持部６００は３個以上設けてもよい。
【００４９】
また、上記実施例においては、支持部６００における腕支持体６１０の先端から後端までが、後端を肘に位置させたときに先端が前腕の中央よりも肘側寄りの所定位置まで至るような長さとなっている例で説明したが、腕支持体６１０の先端から後端までの長さはこれに限らない。例えば、図１３（Ｂ）に示すように、上記実施例の腕支持体６１０よりも先端から後端までが長くなるように、具体的には、後端を肘に位置させたときに先端が前腕の中央付近まで至るような長さとなるように構成してもよい。
【００５０】
また、上記実施例においては、電気掃除機１がグリップ部３２０を備えている例で説明したが、グリップ部３２０を備えていない電気掃除機１においても本発明は適用可能である。その場合、図１４に示すように支持部６００の前方部分に後付けグリップ部９００を取り付けるようにすればよい。
【００５１】
また、上記実施例においては、支持部６００は、電気掃除機１とは別個の部材として構成され、ベース体６３０を介して腕支持体６１０が電気掃除機１のグリップベース部３１０に着脱自在に取り付けられるようになっていたが、これに限定されるものではない。例えば、支持部６００をグリップベース部３１０に直接取り付け、腕支持体６１０が、当該グリップベース部３１０に対して直接、前後方向、周方向に移動可能であり、かつ軸体６４０を軸心として回転可能であるとともに、当該グリップベース部３１０に対して直接、所望の位置に固定可能となるように構成してもよい。
【００５２】
また、上記実施例においては、本体部１００と操作把持部３００及びパイプ部４００とが別体となっており、本体部１００と操作把持部３００及びパイプ部４００とがホース部２００を介して接続されるタイプの電気掃除機１を例として説明したが、本発明が適用できるのは、このようなタイプの電気掃除機１に限定されるものではない。例えば、
パイプ部２００が設けられておらず、本体部１００と操作把持部３００及びパイプ部４００とが一体となったタイプの電気掃除機１に本発明を適用してもよい。
【００５３】
以上、本発明を適用した各種実施形態について説明したが、本発明の趣旨を逸脱しない範囲で適宜の変更が可能であることはいうまでもない。
【符号の説明】
【００５４】
１    電気掃除機
１００    本体部
２００    ホース部
３００    操作把持部
３１０    グリップベース部
３２０    グリップ部
４００    パイプ部
５００    吸込ノズル部
６００    支持部
６１０    腕支持体
６１１    挿通口
６２０    アタッチメント部
６３０    ベース体
６４０    軸体
６５０    固定体
【図１】
2020135293.tif 000003
【図２】
2020135293.tif 000004
【図３】
2020135293.tif 000005
【図４】
2020135293.tif 000006
【図５】
2020135293.tif 000007
【図６】
2020135293.tif 000008
【図７】
2020135293.tif 000009
【図８】
2020135293.tif 000010
【図９】
2020135293.tif 000011
【図１０】
2020135293.tif 000012
【図１１】
2020135293.tif 000013
【図１２】
2020135293.tif 000014
【図１３】
2020135293.tif 000015
【図１４】
2020135293.tif 000016
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
所定長の操作部材を備え、当該操作部材の一端部側を使用者が片手で把持可能に形成され、当該操作部材の他端部側を所定の対象に向けて使用する操作用具に設けられた操作補助機構であって、
前記操作補助機構は、前記操作部材を把持した状態における使用者の前腕から肘にかけての少なくとも一部を支持するとともに、把持位置よりも一端部側に位置するよう設けられた支持部を有し、
前記支持部は、前記操作部材の周面に沿って前後方向に移動可能であり、かつ周方向に回転移動可能に構成されるアタッチメント部と、内部に使用者の腕を挿通可能な断面略環状に形成された円環部材とを少なくとも含み、
前記円環部材は、前記アタッチメント部に設けられた回転軸に、使用時において回転可能に取り付けられていることを特徴とする操作補助機構。
【請求項２】
前記操作補助機構は、固定手段を更に有し、
前記支持部は、前記固定手段によって、任意の位置で固定可能であることを特徴とする請求項１記載の操作補助機構。
【手続補正２】
【補正対象書類名】明細書
【補正対象項目名】０００６
【補正方法】変更
【補正の内容】
【０００６】
上記目的を達成するために、本発明は、所定長の操作部材を備え、当該操作部材の一端部側を使用者が片手で把持可能に形成され、当該操作部材の他端部側を所定の対象に向けて使用する操作用具に設けられた操作補助機構であって、前記操作補助機構は、前記操作部材を把持した状態における使用者の前腕から肘にかけての少なくとも一部を支持するとともに、把持位置よりも一端部側に位置するよう設けられた支持部を有し、前記支持部は、前記操作部材の周面に沿って前後方向に移動可能であり、かつ周方向に回転移動可能に構成されるアタッチメント部と、内部に使用者の腕を挿通可能な断面略環状に形成された円環部材とを少なくとも含み、前記円環部材は、前記アタッチメント部に設けられた回転軸に、使用時において回転可能に取り付けられていることを特徴とする。
【手続補正３】
【補正対象書類名】明細書
【補正対象項目名】０００７
【補正方法】変更
【補正の内容】
【０００７】
また、前記操作補助機構は、固定手段を更に有し、前記操作補助機構は、固定手段を更に有し、前記支持部は、前記固定手段によって、任意の位置で固定可能であるように構成してもよい。